【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
ネイバーアウェアネットワーク内でプロキシメッセージを使用するための方法であって、
第１のプロキシ局によって、プロバイダ局のサービス通知を受信することと、前記サービス通知は、前記プロバイダ局によって提供されるサービスを示す、
前記第１のプロキシ局によって、前記受信することに応答して、第１のプロキシブロードキャストメッセージを選択的に送信することと、前記第１のプロキシブロードキャストメッセージは、前記第１のプロキシ局の位置情報および前記サービス通知を含み、前記選択は、前記プロバイダ局が前記第１のプロキシ局の親デバイスであるか否かに基づき、ここにおいて、前記親デバイスは、前記第１のプロキシ局が前記サービスをシークしたときに、そのサービスブロードキャストが前記第１のプロキシ局によって最初に受信されたデバイスである、または前記プロバイダ局からの前記第１のプロキシ局の距離に基づく、
第２のプロキシ局の受信された第２の位置情報に少なくとも部分的に基づいて、プロキシブロードキャスト送信の周波数を決定することと、
前記第１のプロキシ局によって、前記送信することに応答して、シーカー局から発見要求を受信することと、前記シーカー局は、前記プロバイダ局から２ホップ以上であり、前記発見要求は、前記プロバイダ局からのサービスを要求する、
を備える、方法。
【請求項２】
１つまたは複数のプロバイダ局によって提供される複数のサービスに関連付けられたデータを受信することと、
１つまたは複数のシーカー局へ前記データを送信することと、
前記１つまたは複数のプロバイダ局と前記シーカー局との間で、前記１つまたは複数のプロバイダ局によって提供される前記複数のサービスに関する情報を中継することと、
をさらに備える、請求項１に記載の方法。
【請求項３】
前記第１のプロキシ局は、以下の条件、すなわち、
前記プロバイダ局からの第１のプロキシを通る前記シーカー局までのホップ数が閾値未満であること、
前記第１のプロキシ局が、前記プロバイダ局によって通知された前記サービスに接続中であるか、またはすでに接続していること、
前記プロバイダ局と前記シーカー局との間の距離が閾値未満であること、
前記第１のプロキシ局が、前記サービス通知または第２のプロキシブロードキャストメッセージの範囲内の適格な局のグループのうちの１つであること、ここにおいて、前記第２のプロキシブロードキャストメッセージは、前記サービス通知を含む、
前記サービス通知が、適格なサービスのリストのうちの１つであるサービスを示すこと、
前記第２のプロキシブロードキャストメッセージが、近距離内にない第２のプロキシ局から前記第１のプロキシ局において受信されること、または、
前記第２のプロキシブロードキャストメッセージが、中距離内の３つ以上よりも少ない数の近隣プロキシ局から前記第１のプロキシ局において受信されること、ここにおいて、前記中距離は、前記近距離よりも長い、
のうちの少なくとも１つに応答して、前記第１のプロキシブロードキャストメッセージを選択的に送信するように構成される、請求項１に記載の方法。
【請求項４】
前記シーカー局からの前記発見要求を前記プロバイダ局へ中継することと、
前記発見要求に応答して、前記プロバイダ局から受信された少なくとも発見応答を前記シーカー局へ中継することと、
をさらに備える、請求項１に記載の方法。
【請求項５】
前記サービス通知は、
前記プロバイダ局の媒体アクセス制御アドレスと、
前記プロバイダ局によって指示される、前記プロバイダ局から前記サービスが利用可能である前記シーカー局までの許容されたホップの最大数を含む有効期間と、
前記サービス通知が前記第１のプロキシ局または第２のプロキシ局によって再送信されたホップ数を含むホップカウントと、
前記再送信されたサービス通知のシーケンス番号と、
のうちの少なくとも１つを含むネイバーアウェアネットワーク情報要素またはネイバーフッドアウェアネットワークパブリックアクションフレームを含む、請求項１に記載の方法。
【請求項６】
ネイバーアウェアネットワーク内で第１のプロキシ局としてメッセージをプロキシするためのデバイスであって、
プロバイダ局からサービス通知を受信するように構成された受信機と、前記サービス通知は、前記プロバイダ局によって提供されるサービスを示す、
前記サービス通知に応答して、前記プロバイダ局が前記第１のプロキシ局の親デバイスであるか否かに基づいて、または前記プロバイダ局からの前記第１のプロキシ局の距離に基づいて、前記第１のプロキシ局の位置情報および前記サービス通知を含む第１のプロキシブロードキャストメッセージを選択的に送信することと、ここにおいて、前記親デバイスは、前記第１のプロキシ局が前記サービスをシークしたときに、そのサービスブロードキャストが前記第１のプロキシ局によって最初に受信されたデバイスである、および第２のプロキシ局の受信された位置情報に少なくとも部分的に基づいて、プロキシブロードキャスト送信の周波数を低減することとを行うように構成された送信機と、
を備え、
前記受信機は、シーカー局から発見要求を受信するようにさらに構成され、前記シーカー局は、前記プロバイダ局から２ホップ以上であり、前記発見要求は、前記プロバイダ局からのサービスを要求する、デバイス。
【請求項７】
前記受信機は、１つまたは複数のプロバイダ局によって提供される複数のサービスに関連付けられたデータを受信するようにさらに構成され、
前記送信機は、１つまたは複数のシーカー局へ前記データを送信するようにさらに構成され、
前記送信機および前記受信機は、前記１つまたは複数のプロバイダ局と前記１つまたは複数のシーカー局との間で、前記１つまたは複数のプロバイダ局によって提供される前記複数のサービスに関する情報を中継するように構成される、請求項６に記載のデバイス。
【請求項８】
前記送信機は、以下の条件、すなわち、
前記プロバイダ局からの第１のプロキシを通る前記シーカー局までのホップ数が閾値未満であること、
前記第１のプロキシ局が、前記プロバイダ局によって通知された前記サービスに接続中であるか、またはすでに接続していること、
前記プロバイダ局と前記シーカー局との間の距離が閾値未満であること、
前記第１のプロキシ局が、前記サービス通知または第２のプロキシブロードキャストメッセージの範囲内の適格な局のグループのうちの１つであること、ここにおいて、前記第２のプロキシブロードキャストメッセージは、前記サービス通知を含む、
前記サービス通知が、適格なサービスのリストのうちの１つであるサービスを示すこと、
前記第２のプロキシブロードキャストメッセージが、近距離内にない第２のプロキシ局から前記第１のプロキシ局において受信されること、または、
前記第２のプロキシブロードキャストメッセージが、中距離内の３つ以上よりも少ない数の近隣プロキシ局から前記第１のプロキシ局において受信されること、ここにおいて、前記中距離は、前記近距離よりも長い、
のうちの少なくとも１つに応答して、前記第１のプロキシブロードキャストメッセージを選択的に送信するようにさらに構成される、請求項６に記載のデバイス。
【請求項９】
前記送信機は、
前記シーカー局からの前記発見要求を前記プロバイダ局へ前記シーカー局へ中継することと、
前記発見要求に応答して、前記プロバイダ局から受信された少なくとも発見応答を中継することと、
を行うようにさらに構成される、請求項６に記載のデバイス。
【請求項１０】
前記サービス通知は、
前記プロバイダ局の媒体アクセス制御アドレスと、
前記プロバイダ局によって指示される、前記プロバイダ局から前記サービスが利用可能である前記シーカー局までの許容されたホップの最大数を含む有効期間と、
前記サービス通知が前記デバイスまたは第２のプロキシ局によって再送信されたホップ数を含むホップカウントと、
前記再送信されたサービス通知のシーケンス番号と、
のうちの少なくとも１つを含むネイバーアウェアネットワーク情報要素またはネイバーフッドアウェアネットワークパブリックアクションフレームを含む、請求項６に記載のデバイス。
【請求項１１】
ネイバーアウェアネットワーク内で第１のプロキシ局としてメッセージをプロキシするためのデバイスであって、
プロバイダ局からサービス通知を受信する第１の手段と、前記サービス通知は、前記プロバイダ局によって提供されるサービスを示す、
前記第１のプロキシ局の位置情報および前記サービス通知を含む第１のプロキシブロードキャストメッセージを選択的に送信する第１の手段と、前記選択は、前記プロバイダ局が前記第１のプロキシ局の親デバイスであるか否かに基づくか、または前記プロバイダ局からの前記第１のプロキシ局の距離に基づき、ここにおいて、前記親デバイスは、前記第１のプロキシ局が前記サービスをシークしたときに、そのサービスブロードキャストが前記第１のプロキシ局によって最初に受信されたデバイスである、
第２のプロキシ局の受信された第２の位置情報に少なくとも部分的に基づいて、プロキシブロードキャスト送信の周波数を決定する手段と、
を備え、
前記第１の受信手段は、シーカー局から発見要求を受信するようにさらに構成され、前記シーカー局は、前記プロバイダ局から２ホップ以上であり、前記発見要求は、前記プロバイダ局からのサービスを要求する、デバイス。
【請求項１２】
前記選択的に送信する第１の手段は、以下の条件、すなわち、
前記プロバイダ局からの第１のプロキシを通る前記シーカー局までのホップ数が閾値未満であること、
前記第１のプロキシ局が、前記プロバイダ局によって通知された前記サービスに接続中であるか、またはすでに接続していること、
前記プロバイダ局と前記シーカー局との間の距離が閾値未満であること、
前記第１のプロキシ局が、前記サービス通知または第２のプロキシブロードキャストメッセージの範囲内の適格な局のグループのうちの１つであること、ここにおいて、前記第２のプロキシブロードキャストメッセージは、前記サービス通知を含む、
前記サービス通知が、適格なサービスのリストのうちの１つであるサービスを示すこと、
前記第２のプロキシブロードキャストメッセージが、近距離内にない第２のプロキシ局から前記第１のプロキシ局において受信されること、または、
前記第２のプロキシブロードキャストメッセージが、中距離内の３つ以上よりも少ない数の近隣プロキシ局から前記第１のプロキシ局において受信されること、ここにおいて、前記中距離は、前記近距離よりも長い、
のうちの少なくとも１つに応答して、前記第１のプロキシブロードキャストメッセージを選択的に送信するようにさらに構成される、請求項１１に記載のデバイス。
【請求項１３】
前記シーカー局からの前記発見要求を前記プロバイダ局へ中継する手段と、
前記発見要求に応答して、前記プロバイダ局から受信された少なくとも発見応答を前記シーカー局へ中継する手段と、
をさらに備える請求項１１に記載のデバイス。
【請求項１４】
前記サービス通知は、
前記プロバイダ局の媒体アクセス制御アドレスと、
前記プロバイダ局によって指示される、前記プロバイダ局から前記サービスが利用可能である前記シーカー局までの許容されたホップの最大数を含む有効期間と、
前記サービス通知が前記デバイスまたは第２のプロキシ局によって再送信されたホップ数を含むホップカウントと、
前記再送信されたサービス通知のシーケンス番号と、
のうちの少なくとも１つを含むネイバーフッドアウェアネットワーク情報要素またはネイバーフッドアウェアネットワークパブリックアクションフレームを含む、請求項１１に記載のデバイス。
【請求項１５】
実行されたときに、第１のプロキシ局に、
プロバイダ局からサービス通知を受信することと、前記サービス通知は、前記プロバイダ局によって提供されるサービスを示す、
前記第１のプロキシ局の位置情報および前記サービス通知を含む第１のプロキシブロードキャストメッセージを選択的に送信することと、前記選択は、前記プロバイダ局が前記第１のプロキシ局の親デバイスであるか否かに基づくか、または前記プロバイダ局からの距離に基づき、ここにおいて、前記親デバイスは、前記第１のプロキシ局が前記サービスをシークしたときに、そのサービスブロードキャストが前記第１のプロキシ局によって最初に受信されたデバイスである、
第２のプロキシ局の受信された第２の位置情報に少なくとも部分的に基づいて、プロキシブロードキャスト送信の周波数を決定することと、
シーカー局から発見要求を受信することと、前記シーカー局は、前記プロバイダ局から２ホップ以上であり、前記発見要求は、前記プロバイダ局からのサービスを要求する、
を行わせるコードを記憶する非一時的コンピュータ可読媒体。
【請求項１６】
前記第１のプロキシ局は、以下の条件、すなわち、
前記プロバイダ局からの第１のプロキシを通る前記シーカー局までのホップ数が閾値未満であること、
前記第１のプロキシ局が、前記プロバイダ局によって通知された前記サービスに接続中であるか、またはすでに接続していることと、
前記プロバイダ局と前記シーカー局との間の距離が閾値未満であること、
前記第１のプロキシ局が、前記サービス通知または第２のプロキシブロードキャストメッセージの範囲内の適格な局のグループのうちの１つであること、ここにおいて、前記第２のプロキシブロードキャストメッセージは、前記サービス通知を含む、
前記サービス通知が、適格なサービスのリストのうちの１つであるサービスを示すこと、
前記第２のプロキシブロードキャストメッセージが、近距離内にない第２のプロキシ局から前記第１のプロキシ局において受信されること、または、
前記第２のプロキシブロードキャストメッセージが、中距離内の３つ以上よりも少ない数の近隣プロキシ局から前記第１のプロキシ局において受信されること、ここにおいて、前記中距離は、前記近距離よりも長い、
のうちの少なくとも１つに応答して、前記第１のプロキシブロードキャストメッセージを選択的に送信するようにさらに構成される、請求項１５に記載の非一時的コンピュータ可読媒体。
【請求項１７】
前記第１のプロキシ局に、
前記シーカー局からの前記発見要求を前記プロバイダ局へ前記シーカー局へ中継することと、
前記発見要求に応答して、プロバイダ局から受信された少なくとも発見応答を中継することと、
を行わせるようにさらに構成される、請求項１５に記載の非一時的コンピュータ可読媒体。
【請求項１８】
前記サービス通知は、
前記プロバイダ局の媒体アクセス制御アドレスと、
前記プロバイダ局によって指示される、前記プロバイダ局から前記サービスが利用可能である前記シーカー局までの許容されたホップの最大数を含む有効期間と、
前記サービス通知が前記第１のプロキシ局または第２のプロキシ局によって再送信されたホップ数を含むホップカウントと、
前記再送信されたサービス通知のシーケンス番号と、
のうちの少なくとも１つを含むネイバーフッドアウェアネットワーク情報要素またはネイバーフッドアウェアネットワークパブリックアクションフレームを含む、請求項１５に記載の非一時的コンピュータ可読媒体。
【手続補正２】
【補正対象書類名】明細書
【補正対象項目名】０１１４
【補正方法】変更
【補正の内容】
【０１１４】
[0131]開示されている実施形態の上記の説明は、当業者が開示されている実施形態を製作または使用することを可能にするために提供されている。これらの実施形態に対する様々な修正は、当業者には容易に明らかであり、本明細書で定義されている原理は、本開示の範囲から逸脱することなく、他の実施形態に適用され得る。したがって、本開示は、本明細書に示されている実施形態に限定されることを意図されておらず、以下の特許請求の範囲によって定義される原理および新規な特徴と一致する可能な最も広い範囲を与えられるべきである。
以下に本願の出願当初の特許請求の範囲に記載された発明を付記する。
［Ｃ１］
ネイバーアウェアネットワーク内でプロキシメッセージを使用するための方法であって、
第１のプロキシ局によって、プロバイダ局のサービス通知を受信することと、前記サービス通知は前記プロバイダ局によって提供されるサービスを示す、
前記受信することに応答して、第１のプロキシブロードキャストメッセージを選択的に送信することと、前記第１のプロキシブロードキャストメッセージは前記サービス通知を含む、
前記送信することに応答して、シーカー局から発見要求を受信することと、前記シーカー局は前記プロバイダ局から２ホップ以上であり、前記発見要求は前記プロバイダ局からのサービスを要求する、
を備える方法。
［Ｃ２］
１つまたは複数のプロバイダ局によって提供される複数のサービスに関連付けられたデータを受信することと、
１つまたは複数のシーカー局へ前記データを送信することと、
前記１つまたは複数のプロバイダ局と前記シーカー局との間で、前記１つまたは複数のプロバイダ局によって提供される前記複数のサービスに関する情報を中継することと、
をさらに備えるＣ１に記載の方法。
［Ｃ３］
前記第１のプロキシ局は、以下のパラメータ、すなわち、
前記プロバイダ局から前記第１のプロキシを通して前記シーカー局までのホップ数と、
前記プロバイダ局が、前記第１のプロキシ局の親プロバイダであるか否かと、
前記第１のプロキシ局が、前記プロバイダ局によって通知された前記サービスを見つけたことと、
前記プロバイダ局と前記シーカー局との間の距離と、
前記第１のプロキシ局が、前記サービス通知または第２のプロキシブロードキャストメッセージの範囲内の適格な局のグループのうちの１つであるか否かと、ここにおいて、前記第２のプロキシブロードキャストメッセージは前記サービス通知を含む、
前記サービス通知が、適格なサービスのリストのうちの１つであるサービスを示すか否かと、
前記第２のプロキシブロードキャストメッセージが、近距離内の第２のプロキシ局から前記第１のプロキシ局において受信されることと、
前記第２のプロキシブロードキャストメッセージが、中距離内の３つ以上の近隣プロキシ局から前記第１のプロキシ局において受信されるか否かと、ここにおいて、前記中距離は前記近距離よりも長い、
のうちの少なくとも１つに基づいて、前記第１のプロキシブロードキャストメッセージを選択的に送信するように構成される、Ｃ１に記載の方法。
［Ｃ４］
前記第１のプロキシ局は、前記パラメータのうちの少なくとも１つに基づいて、プロキシブロードキャスト送信の頻度を低減するように構成される、Ｃ３に記載の方法。
［Ｃ５］
前記シーカー局からの前記発見要求を前記プロバイダ局へ中継することと、
前記発見要求に応答して、前記プロバイダ局から受信された発見応答を少なくとも、前記シーカー局へ中継することと、
をさらに備えるＣ１に記載の方法。
［Ｃ６］
前記第１のプロキシブロードキャストメッセージ内に前記第１のプロキシ局の位置情報を含めることをさらに備えるＣ１に記載の方法。
［Ｃ７］
前記第１のプロキシ局は、第２のプロキシ局の受信された位置情報に少なくとも部分的に基づいて、プロキシブロードキャスト送信の頻度を低減するようにさらに構成される、Ｃ６に記載の方法。
［Ｃ８］
前記サービス通知は、
どのメッシュネットワークにとってサービスが利用可能であるかの指示を含むメッシュパラメータと、
前記プロバイダ局の媒体アクセス制御アドレスと、
前記プロバイダ局によって指示される、前記プロバイダ局から前記サービスが利用可能である前記シーカー局までの許容されたホップの最大数を含む有効期間と、
前記サービス通知が前記第１のプロキシ局または第２のプロキシ局によって再送信されたホップ数を含むホップカウントと、
前記再送信されたサービス通知のシーケンス番号と、
のうちの少なくとも１つを含むネイバーアウェアネットワーク情報要素またはネイバーフッドアウェアネットワークパブリックアクションフレームを含む、Ｃ１に記載の方法。
［Ｃ９］
ネイバーアウェアネットワーク内でプロキシメッセージを使用するためのデバイスであって、
プロバイダ局からサービス通知を受信するように構成された受信機と、前記サービス通知は前記プロバイダ局によって提供されるサービスを示す、
前記サービス通知に応答して、前記サービス通知を含む第１のプロキシブロードキャストメッセージを選択的に送信するように構成された送信機と、
を備え、
前記受信機はシーカー局から発見要求を受信するようにさらに構成され、前記シーカー局は前記プロバイダ局から２ホップ以上であり、前記発見要求は前記プロバイダ局からのサービスを要求する、デバイス。
［Ｃ１０］
前記受信機は、１つまたは複数のプロバイダ局によって提供される複数のサービスに関連付けられたデータを受信するようにさらに構成され、
前記送信機は、１つまたは複数のシーカー局へ前記データを送信するようにさらに構成され、
前記送信機および前記受信機は、前記１つまたは複数のプロバイダ局と前記１つまたは複数のシーカー局との間で、前記１つまたは複数のプロバイダ局によって提供される前記複数のサービスに関する情報を中継するように構成される、Ｃ９に記載のデバイス。
［Ｃ１１］
前記送信機は、以下のパラメータ、すなわち、
前記プロバイダ局から前記デバイスを通して前記シーカー局までのホップ数と、
前記プロバイダ局が、前記デバイスの親プロバイダであるか否かと、
前記デバイスが、前記プロバイダ局によって通知された前記サービスを見つけたことと、
前記プロバイダ局と前記シーカー局との間の距離と、
前記デバイスが、前記サービス通知または第２のプロキシブロードキャストメッセージの範囲内の適格な局のグループのうちの１つであるか否かと、ここにおいて、前記第２のプロキシブロードキャストメッセージは前記サービス通知を含む、
前記サービス通知が、適格なサービスのリストのうちの１つであるサービスを示すか否かと、
前記第２のプロキシブロードキャストメッセージが、近距離内の第２のプロキシ局から前記デバイスにおいて受信されることと、
前記第２のプロキシブロードキャストメッセージが、中距離内の３つ以上の近隣プロキシ局から前記デバイスにおいて受信されるか否かと、ここにおいて、前記中距離は前記近距離よりも長い、
のうちの少なくとも１つに基づいて、前記第１のプロキシブロードキャストメッセージを選択的に送信するようにさらに構成される、Ｃ９に記載のデバイス。
［Ｃ１２］
前記送信機は、前記パラメータのうちの少なくとも１つに基づいて、プロキシブロードキャスト送信の頻度を低減するようにさらに構成される、Ｃ９に記載のデバイス。
［Ｃ１３］
前記送信機は、
前記シーカー局からの前記発見要求を前記プロバイダ局へ前記シーカー局へ中継することと、
前記発見要求に応答して、前記プロバイダ局から受信された発見応答を少なくとも中継することと、
を行うようにさらに構成される、Ｃ９に記載のデバイス。
［Ｃ１４］
前記第１のプロキシブロードキャストメッセージは、前記デバイスの位置情報をさらに含む、Ｃ９に記載のデバイス。
［Ｃ１５］
前記送信機は、第２のプロキシ局の受信された位置情報に少なくとも部分的に基づいて、プロキシブロードキャスト送信の頻度を低減するようにさらに構成される、Ｃ１４に記載のデバイス。
［Ｃ１６］
前記サービス通知は、
どのメッシュネットワークにとってサービスが利用可能であるかの指示を含むメッシュパラメータと、
前記プロバイダ局の媒体アクセス制御アドレスと、
前記プロバイダ局によって指示される、前記プロバイダ局から前記サービスが利用可能である前記シーカー局までの許容されたホップの最大数を含む有効期間と、
前記サービス通知が前記デバイスまたは第２のプロキシ局によって再送信されたホップ数を含むホップカウントと、
前記再送信されたサービス通知のシーケンス番号と、
のうちの少なくとも１つを含むネイバーアウェアネットワーク情報要素またはネイバーフッドアウェアネットワークパブリックアクションフレームを含む、Ｃ９に記載のデバイス。
［Ｃ１７］
ネイバーアウェアネットワーク内でプロキシメッセージを使用するためのデバイスであって、
プロバイダ局からサービス通知を受信する第１の手段と、前記サービス通知は前記プロバイダ局によって提供されるサービスを示す、
前記サービス通知を含む第１のプロキシブロードキャストメッセージを選択的に送信する第１の手段と、
を備え、
前記第１の受信手段はシーカー局から発見要求を受信するようにさらに構成され、前記シーカー局は前記プロバイダ局から２ホップ以上であり、前記発見要求は前記プロバイダ局からのサービスを要求する、デバイス。
［Ｃ１８］
前記選択的に送信する第１の手段は、以下のパラメータ、すなわち、
前記プロバイダ局から前記選択的に送信する手段を通して前記シーカー局までのホップ数と、
前記プロバイダ局が、前記選択的に送信する第１の手段の親プロバイダであるか否かと、
前記デバイスが、前記プロバイダ局によって通知された前記サービスを見つけたことと、
前記プロバイダ局と前記シーカー局との間の距離と、
前記デバイスが、前記サービス通知または第２のプロキシブロードキャストメッセージの範囲内の適格な局のグループのうちの１つであるか否かと、ここにおいて、前記第２のプロキシブロードキャストメッセージは前記サービス通知を含む、
前記サービス通知が、適格なサービスのリストのうちの１つであるサービスを示すか否かと、
前記第２のプロキシブロードキャストメッセージが、近距離内の選択的に送信する第２の手段から前記選択的に送信する第１の手段において受信されることと、
前記第２のプロキシブロードキャストメッセージが、中距離内の３つ以上の選択的に送信する近隣手段から前記選択的に送信する第１の手段において受信されるか否かと、ここにおいて、前記中距離は前記近距離よりも長い、
のうちの少なくとも１つに基づいて、前記第１のプロキシブロードキャストメッセージを選択的に送信するようにさらに構成される、Ｃ１７に記載のデバイス。
［Ｃ１９］
前記選択的に送信する第１の手段は、前記パラメータのうちの少なくとも１つに基づいて、プロキシブロードキャスト送信の頻度を低減するようにさらに構成される、Ｃ１８に記載のデバイス。
［Ｃ２０］
前記シーカー局からの前記発見要求を前記プロバイダ局へ中継する手段と、
前記発見要求に応答して、前記プロバイダ局から受信された発見応答を少なくとも、前記シーカー局へ中継する手段と、
をさらに備えるＣ１７に記載のデバイス。
［Ｃ２１］
前記第１のプロキシブロードキャストメッセージ内に前記選択的に送信する第１の手段の位置情報を含めることをさらに備えるＣ１７に記載のデバイス。
［Ｃ２２］
前記選択的に送信する第１の手段は、選択的に送信する第２の手段の受信された位置情報に少なくとも部分的に基づいて、プロキシブロードキャスト送信の頻度を低減するように構成される、Ｃ２１に記載のデバイス。
［Ｃ２３］
前記サービス通知は、
どのメッシュネットワークにとってサービスが利用可能であるかの指示を含むメッシュパラメータと、
前記プロバイダ局の媒体アクセス制御アドレスと、
前記プロバイダ局によって指示される、前記プロバイダ局から前記サービスが利用可能である前記シーカー局までの許容されたホップの最大数を含む有効期間と、
前記サービス通知が前記デバイスまたは第２のプロキシ局によって再送信されたホップ数を含むホップカウントと、
前記再送信されたサービス通知のシーケンス番号と、
のうちの少なくとも１つを含むネイバーフッドアウェアネットワーク情報要素またはネイバーフッドアウェアネットワークパブリックアクションフレームを含む、Ｃ１７に記載のデバイス。
［Ｃ２４］
実行されたときに、第１のプロキシ局に、
プロバイダ局からサービス通知を受信することと、前記サービス通知は前記プロバイダ局によって提供されたサービスを示す、
前記サービス通知を含む第１のプロキシブロードキャストメッセージを選択的に送信することと、
シーカー局から発見要求を受信することと、前記シーカー局は前記プロバイダ局から２ホップ以上であり、前記発見要求は前記プロバイダ局からのサービスを要求する、
を行わせるコードを記憶する非一時的コンピュータ可読媒体。
［Ｃ２５］
前記第１のプロキシ局は、以下のパラメータ、すなわち、
前記プロバイダ局から前記第１のプロキシ局を通して前記シーカー局までのホップ数と、
前記プロバイダ局が、前記第１のプロキシ局の親プロバイダであることと、
前記第１のプロキシ局が、前記プロバイダ局によって通知された前記サービスを見つけたか否かと、
前記第１のプロキシ局と前記シーカー局との間の距離と、
前記第１のプロキシ局が、前記サービス通知または第２のプロキシブロードキャストメッセージの範囲内の適格な局のグループのうちの１つであるか否かと、ここにおいて、前記第２のプロキシブロードキャストメッセージは前記サービス通知を備える、
前記サービス通知が、適格なサービスのリストのうちの１つであるサービスを示すか否かと、
前記第２のプロキシブロードキャストメッセージが、近距離内の第２のプロキシ局から前記第１のプロキシ局において受信されることと、
前記第２のプロキシブロードキャストメッセージが、中距離内の３つ以上の近隣プロキシ局から前記第１のプロキシ局において受信されるか否かと、ここにおいて、前記中距離は前記近距離よりも長い
のうちの少なくとも１つに基づいて、前記第１のプロキシブロードキャストメッセージを選択的に送信するようにさらに構成される、Ｃ２４に記載の非一時的コンピュータ可読媒体。
［Ｃ２６］
前記第１のプロキシ局は、前記パラメータのうちの少なくとも１つに基づいて、プロキシブロードキャスト送信の頻度を低減するように構成される、Ｃ２５に記載の非一時的コンピュータ可読媒体。
［Ｃ２７］
前記第１のプロキシ局に、
前記シーカー局からの前記発見要求を前記プロバイダ局へ前記シーカー局へ中継することと、
前記発見要求に応答して、プロバイダ局から受信された発見応答を少なくとも中継することと、
を行わせるようにさらに構成される、Ｃ２４に記載の非一時的コンピュータ可読媒体。
［Ｃ２８］
前記第１のプロキシブロードキャストメッセージ内に前記第１のプロキシ局の位置情報を含めることをさらに備えるＣ２６に記載の非一時的コンピュータ可読媒体。
［Ｃ２９］
前記第１のプロキシ局は、第２のプロキシ局の受信された位置情報に少なくとも部分的に基づいて、プロキシブロードキャスト送信の頻度を低減するように構成される、Ｃ２４に記載の非一時的コンピュータ可読媒体。
［Ｃ３０］
前記サービス通知は、
どのメッシュネットワークにとってサービスが利用可能であるかの指示を含むメッシュパラメータと、
前記プロバイダ局の媒体アクセス制御アドレスと、
前記プロバイダ局によって指示される、前記プロバイダ局から前記サービスが利用可能である前記シーカー局までの許容されたホップの最大数を含む有効期間と、
前記サービス通知が前記第１のプロキシ局または第２のプロキシ局によって再送信されたホップ数を含むホップカウントと、
前記再送信されたサービス通知のシーケンス番号と、
のうちの少なくとも１つを含むネイバーフッドアウェアネットワーク情報要素またはネイバーフッドアウェアネットワークパブリックアクションフレームを含む、Ｃ２４に記載の非一時的コンピュータ可読媒体。